(57)【特許請求の範囲】
【請求項１】
外装と、
前記外装内に配置された発光部と、
外部電源から供給される電力を変換して前記発光部に供給する電源ユニットを着脱可能な第１のコネクタと
を備え、
前記第１のコネクタは、前記発光部用の安定器から供給される電力を変換せずに前記発光部に供給する電源ユニットを着脱可能である、
照明装置。
【請求項２】
前記電源ユニットをさらに備える、請求項１に記載の照明装置。
【請求項３】
前記外装内に配置された基板
をさらに備え、
前記発光部および前記第１のコネクタは、前記基板上に配置される、請求項１または２に記載の照明装置。
【請求項４】
前記第１のコネクタは前記基板の第１の面に配置され、
前記発光部は前記基板の第２の面に配置される、請求項３に記載の照明装置。
【請求項５】
前記外装は、前記第１の面の一部を露出させる開閉可能な蓋を有し、
前記電源ユニットは、前記第１の面の一部に配置される、請求項４に記載の照明装置。
【請求項６】
前記電源ユニットは、前記外装の一部を構成するカバーを有する、請求項１から４のいずれか一項に記載の照明装置。
【請求項７】
前記電源ユニットはインバータを有し、
前記第１のコネクタは、前記インバータが異なる複数の種類の前記電源ユニットを着脱可能である、請求項１から６のいずれか一項に記載の照明装置。
【請求項８】
前記発光部は、ＣＣＦＬ（Ｃｏｌｄ  Ｃａｔｈｏｄｅ  Ｆｌｕｏｒｅｓｃｅｎｔ  Ｌａｍｐ）であり、
前記電源ユニットから供給される電気の電圧を昇圧して前記発光部に供給する昇圧トランスをさらに備える、請求項１から７のいずれか一項に記載の照明装置。
【発明の詳細な説明】
【技術分野】
【０００１】
本発明は、照明装置に関する。
【背景技術】
【０００２】
蛍光ランプの安定器の放電方式は、ランプ内の始動方法によりスタータ式（放電ランプ式）、ラピッド式、およびインバータ式（電子式）の３つに分類される（例えば、非特許文献１、２を参照。）。また、販売されている安定器型名は、６００種類とも言われている。
【０００３】
安定器は、蛍光ランプの発光に必要な放電と、蛍光ランプ内のフィラメントを予熱するための始動電圧の供給と、発光後の蛍光ランプに必要なランプ電流とを制御する。また、蛍光ランプ以外に発光ダイオードを用いたＬＥＤ（Ｌｉｇｈｔ  Ｅｍｉｔｔｉｎｇ  Ｄｉｏｄｅ）ランプや冷陰極管を用いたＣＣＦＬ（Ｃｏｌｄ  Ｃａｔｈｏｄｅ  Ｆｌｕｏｒｅｓｃｅｎｔ  Ｌａｍｐ）ランプが存在し、ランプの始動に適した供給電源を生成する電源装置を用いたものもあり、ランプ本体に内蔵されているものと外部に設置するものと区別される。外部に設置されるものは、以下、総称して安定器と表記する。
【０００４】
蛍光ランプとＣＣＦＬランプのインバータ方式は、一度、供給電源である低周波数低電圧を整流回路にて直流とし、インバータ回路でランプに適した高周波数の始動電圧を生成する。一方、ＬＥＤランプの始動電圧は直流であり、安定器に供給される供給電源である低周波数低電圧を、安定器内部の整流回路にて直流としている。
【０００５】
安定器が故障すると、ランプのちらつき、点灯しない、異音や熱が発生するなどの事象が発生する場合がある。安定器には耐用年数が設定されているが、周囲温度や使用時間などの環境に左右されるため、日本照明協会やランプ製造メーカは、３年毎に専門店などによる点検を推奨している。
【０００６】
現在、蛍光ランプに代わる省電力ランプは、半導体素子である発光ダイオードのＬＥＤランプとされており、汎用されている。ＬＥＤランプは、光の直進性が高く真下の明るさは強いが、周囲に広がらない特性がある。
【０００７】
近年、パソコンモニターや液晶テレビで使用されている陰極管のＣＣＦＬが、照明ランプとして使用され始めた。光の特性は、蛍光ランプに似ており一様に広がる。ＣＣＦＬランプの発光原理は、熱電子放出である蛍光ランプと同様であり、熱によるものではなく、高電圧によるものである。
【０００８】
ＬＥＤランプおよびＣＣＦＬランプは、既存の蛍光ランプでの照明器具を使用するには、蛍光ランプの安定器を使用しないバイパス工事が必要となる。この欠点を回避するために、安定器に供給される低周波数低電圧を直流または、高周波数高電圧を始動電圧とする安定器機能を具備した電源内蔵型のランプが汎用され始めた。
【０００９】
現状のＬＥＤランプおよびＣＣＦＬランプは、耐用時間４００００時間とされているが、ランプ自体の耐用時間であって、内蔵される電源部においては、製造メーカのスキルと使用する部材の品質に左右される。電源部の耐用時間が４００００時間以下である場合、ＬＥＤランプおよびＣＣＦＬランプ全体としての耐用時間は、４００００時間以下となってしまう。また、例えば、電源内蔵のランプの故障において、不具合箇所がランプ部固有であるのか、または、電源部固有であるのかを特定できない欠点がある。安定器が故障した場合、特にインバータ式（電子式）の場合は、始動電圧の周波数精度や波形歪による不具合が発生するため、更に不具合箇所の特定が困難となる。電源内蔵のランプにおいて、この欠点は操作性および環境性に関して、大きな障害である。故障時において、電源内蔵のランプの故障は、ランプだけではなく、内蔵されている電源部も交換しなければならない問題がある。
［先行技術文献］
［特許文献］
［特許文献１］国際公開第２０１４／０６４８１３号明細書
［非特許文献］
［非特許文献１］ＩＷＡＳＡＫＩ  ＬＩＧＨＴＩＮＧ  ＨＡＮＤＢＯＯＫ、岩崎電気株式会社、インターネット＜ＵＲＬ：http://www.iwasaki.co.jp/info_lib/tech-data/light-source/pdf/fluorescent-tube.pdf＞
［非特許文献２］アカリセンター、株式会社カネデン、インターネット＜ＵＲＬ：http://www.akaricenter.com/＞
［非特許文献３］ニコラテスラって素晴らしい、ネオテス株式会社、インターネット＜ＵＲＬ：http://blog.livedoor.jp/neotesla/＞
【発明の概要】
【発明が解決しようとする課題】
【００１０】
電源内蔵型のＬＥＤランプおよびＣＣＦＬランプの利便性を向上できることが望ましい。
【課題を解決するための手段】
【００１１】
本発明の第１の態様によれば、外装と、外装内に配置された発光部と、外部電源から供給される電力を変換して発光部に供給する電源ユニットを着脱可能な第１のコネクタとを備える照明装置が提供される。
【００１２】
上記照明装置は、上記電源ユニットをさらに備えてよい。上記照明装置は、上記外装内に配置された基板をさらに備えてよく、上記発光部および上記第１のコネクタは、上記基板上に配置されてよい。上記第１のコネクタは上記基板の第１の面に配置されてよく、上記発光部は上記基板の第２の面に配置されてよい。上記外装は、上記第１の面の一部を露出させる開閉可能な蓋を有してよく、上記電源ユニットは、上記第１の面の一部に配置されてよい。上記電源ユニットは、上記外装の一部を構成するカバーを有してよい。
【００１３】
上記照明装置は直管型の照明装置であってよく、上記照明装置は、上記照明装置の一端に配置された、上記照明装置の長手方向の軸に対して回動可能なエンドキャップをさらに備えてよく、上記電源ユニットは、上記エンドキャップの回動によって上記照明装置に固定されてよい。上記照明装置は直管型の照明装置であってよく、上記照明装置は、直管型蛍光灯灯具のソケットに取り付け可能な接続ピンと、上記接続ピンと上記電源ユニットとを電気的に接続する、上記電源ユニットを着脱可能な第２のコネクタとをさらに備えてよい。上記照明装置は丸型形状の照明装置であってよく、上記照明装置は、上記丸型形状の内側方向に突出する形状を有する上記電源ユニットをさらに備えてよい。上記電源ユニットはインバータを有してよく、上記第１コネクタは、上記インバータが異なる複数の種類の上記電源ユニットを着脱可能であってよい。上記発光部は、ＣＣＦＬであってよく、上記電源ユニットから供給される電気の電圧を昇圧して上記発光部に供給する昇圧トランスをさらに備えてよい。上記第１のコネクタは、上記発光部用の安定器から供給される電力を変換せずに上記発光部に供給する電源ユニットを着脱可能であってよい。
【００１４】
なお、上記の発明の概要は、本発明の必要な特徴の全てを列挙したものではない。また、これらの特徴群のサブコンビネーションもまた、発明となりうる。
【図面の簡単な説明】
【００１５】
【図１】照明装置１０の一例を概略的に示す。
【図２】基板１２０の裏面の一例を概略的に示す。
【図３】基板１２０の裏面の一例を概略的に示す。
【図４】照明装置１０の一例を概略的に示す。
【図５】照明装置１０の一例を概略的に示す。
【図６】照明装置１０の一例を概略的に示す。
【図７】照明装置１０の機能構成の一例を概略的に示す。
【図８】照明装置１０の機能構成の一例を概略的に示す。
【図９】照明装置１０の機能構成の一例を概略的に示す。
【図１０】照明装置１０の機能構成の一例を概略的に示す。
【図１１】照明装置１０の機能構成の一例を概略的に示す。
【発明を実施するための形態】
【００１６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１７】
図１は、照明装置１０の一例を概略的に示す。図１は、直管型の照明装置１０の外観図である。本実施形態に係る直管型の照明装置１０は、ＧＸ１６ｔ−５形式、Ｇ１３形式、Ｒ１７ｄ形式、およびＲＸ１７ｄ形式などの任意の形式の口金を有してよい。また、本実施形態に係る直管型の照明装置１０について、それぞれの口金の形式によるランプの形式、例えば、定格ランプ電力数値および寸法が選定されてよい。
【００１８】
照明装置１０は、本体１００および電源ユニット２００を備える。本体１００は、外装１０２、エンドキャップ１０４、エンドキャップ１０６、接続ピン１１４、接続ピン１１６、および基板１２０を有する。
【００１９】
外装１０２は、基板１２０を取り囲む。外装１０２は、例えばポリカーボネートなどによって構成される。エンドキャップ１０４およびエンドキャップ１０６は、本体１００の両端に配置される。
【００２０】
接続ピン１１４および接続ピン１１６は、直管型蛍光灯灯具のソケットに取り付け可能であり、本体１００の両端に配置される。照明装置１０は、接続ピン１１４および接続ピン１１６の少なくともいずれかを介して、外部電源から電力の供給を受けてよい。
【００２１】
基板１２０は、上面にコネクタ１２２およびコネクタ１２４を有し、下面に不図示の発光部を有する。基板１２０の上面は、第１の面の一例であってよく、基板１２０の下面は第２の面の一例であってよい。基板１２０の上面と下面との間には、アルミニウム板が配置されてよい。発光部は、ＣＣＦＬランプであってよい。発光部はＬＥＤランプであってもよい。コネクタ１２２およびコネクタ１２４は、電源ユニット２００を着脱可能である。
【００２２】
コネクタ１２２は、基板１２０の発光部と、電源ユニット２００とを電気的に接続する。コネクタ１２２は、第１のコネクタの一例であってよい。
【００２３】
コネクタ１２４は、接続ピン１１４と、電源ユニット２００とを電気的に接続する。コネクタ１２４は、第２のコネクタの一例であってよい。
【００２４】
電源ユニット２００は、外部電源から供給される電力を変換して、基板１２０の発光部に供給する。電源ユニット２００は、ネジ穴２０２、カバー２０４、コネクタ２１２、およびコネクタ２１４を有する。
【００２５】
電源ユニット２００は、ネジ穴２０２およびネジ穴１２６がネジ２０によってネジ止めされることによって、基板１２０に固定されてよい。電源ユニット２００は、少なくとも２箇所、ネジ２０によって基板１２０にネジ止めされてよい。
【００２６】
カバー２０４は、外装１０２の一部を構成する。これにより、電源ユニット２００が本体１００に取り付けられた場合に、照明装置１０全体を、直管型蛍光灯の形状と同じ形状とすることができる。なお、カバー２０４の当該形状は一例であり、カバー２０４は他の形状であってもよい。例えば、カバー２０４は、外装１０２から突出するような形状であってよい。また、カバー２０４は、外装１０２から窪むような形状であってもよい。
【００２７】
また、電源ユニット２００は、カバー２０４を有さなくてもよい。外装１０２は、基板１２０の上面の一部を露出させる開閉可能な蓋を有してもよい。そして、電源ユニット２００は、当該蓋が開放されている状態のときに、基板１２０の上面に配置されてよく、電源ユニット２００の設置後、蓋は閉じられてよい。
【００２８】
コネクタ２１２は、コネクタ１２２に着脱可能に接続される。コネクタ２１４は、コネクタ１２４に着脱可能に接続される。
【００２９】
本実施形態に係る照明装置１０において、コネクタ１２２およびコネクタ１２４は、異なる複数の種類の電源ユニット２００を着脱可能である。例えば、コネクタ１２２およびコネクタ１２４は、照明装置１０を取り付ける蛍光灯灯具が有する安定器の種類毎の電源ユニット２００を着脱可能である。コネクタ１２２およびコネクタ１２４は、例えば、インバータが異なる複数の種類の電源ユニット２００を着脱可能であってもよい。
【００３０】
コネクタ１２２およびコネクタ１２４は、スタータ式の安定器から供給される電力を基板１２０の発光部に適した電力に変換する電源ユニット２００を着脱可能であってよい。また、コネクタ１２２およびコネクタ１２４は、ラピッド式の安定器から供給される電力を、基板１２０の発光部に適した電力に変換する電源ユニット２００を着脱可能であってよい。例えば、発光部がＣＣＦＬランプである場合、スタータ式またはラピッド式の安定器の出力周波数（５０〜６０Ｈｚ）を、ＣＣＦＬランプに適した３０ｋＨｚ〜４５ｋＨｚに変換するインバータを有する電源ユニット２００が装着される。なお、安定器の出力電圧（１００Ｖ〜２００Ｖ）を、ＣＣＦＬランプに適した１０００Ｖに昇圧する昇圧トランスは、本体１００が備えてよい。また、コネクタ１２２およびコネクタ１２４は、インバータ式の安定器から供給される電力を、基板１２０の発光部に適した電力に変換する電源ユニット２００を着脱可能であってよい。
【００３１】
これにより、照明装置１０を取り付ける蛍光灯灯具が有する安定器に対応する電源ユニット２００を選択して、本体１００に設置することによって、本体１００を、既存のあらゆる蛍光灯灯具に適用させることができる。また、ある蛍光灯灯具に取り付けられている照明装置１０を、当該蛍光灯灯具とは異なる種類の安定器を有する蛍光灯灯具に移設することを希望する場合に、電源ユニット２００のみを交換することによって、当該移設を実現することができる。また、照明装置１０が故障した場合に、電源ユニット２００の交換によって故障が改善するか否かを確認することによって、故障箇所が本体１００内にあるのか、電源ユニット２００内にあるのかを容易に特定することができる。故障箇所が電源ユニット２００内にある場合、電源ユニット２００の交換によって照明装置１０の故障を改善することができ、発光部の寿命を全うさせることができる。
【００３２】
また、例えば、コネクタ１２２およびコネクタ１２４は、安定器がバイパスされた蛍光灯灯具または安定器を有さない蛍光灯灯具から供給される電力を、基板１２０の発光部に適した電力に変換する電源ユニット２００を着脱可能であってよい。これにより、安定器がバイパスされた蛍光灯灯具および安定器を有さない蛍光灯灯具に対しても、本体１００を適用させることができる。また、安定器を有する蛍光灯灯具に照明装置１０が取り付けられている場合において、当該蛍光灯灯具に安定器のバイパス工事が施された場合に、電源ユニット２００のみを交換することによって、当該照明装置１０を引き続き使用可能とすることができる。
【００３３】
また、例えば、ＣＣＦＬランプを有する照明装置１０のコネクタ１２２およびコネクタ１２４は、ＣＣＦＬ専用の安定器に対応する電源ユニット２００を着脱可能であってよい。当該電源ユニットは、コネクタ１２４およびコネクタ２１４を介して供給された電力を変換せずにコネクタ２１２およびコネクタ１２２を介してＣＣＦＬランプに提供してよい。また、例えば、ＬＥＤランプを有する照明装置１０のコネクタ１２２およびコネクタ１２４は、ＬＥＤ専用の安定器に対応する電源ユニット２００を着脱可能であってよい。当該電源ユニットは、コネクタ１２４およびコネクタ２１４を介して供給された電力を変換せずにコネクタ２１２およびコネクタ１２２を介してＣＣＦＬランプに提供してよい。これにより、既存の安定器をＣＣＦＬ専用またはＬＥＤ専用の安定器に交換する工事が施された場合に、電源ユニット２００のみを交換することによって、当該照明装置１０を使用可能とすることができる。
【００３４】
図２は、基板１２０の下面の一例を概略的に示す。図２は、基板１２０がＬＥＤランプ１３２を有する場合の外観図を示す。ＬＥＤランプ１３２は、複数のＬＥＤチップ１３４を含む。ＬＥＤランプ１３２は、配線１２８を介して上面のコネクタ１２２と電気的に接続されている。接続ピン１１４から供給された電力が電源ユニット２００によって変換されて、コネクタ１２２および配線１２８を介してＬＥＤランプ１３２に供給されてよい。
【００３５】
図３は、基板１２０の下面の一例を概略的に示す。図３は、基板１２０がＣＣＦＬランプ１４２を有する場合の外観図を示す。ＣＣＦＬランプ１４２は、複数のＣＣＦＬ蛍光灯１４４を含む。ＣＣＦＬランプ１４２は、配線１２８を介して上面のコネクタ１２２と電気的に接続されている。接続ピン１１４から供給された電力が電源ユニット２００によって変換されて、コネクタ１２２および配線１２８を介してＣＣＦＬランプ１４２に供給されてよい。
【００３６】
図４は、照明装置１０の一例を概略的に示す。ここでは、図１の照明装置１０と異なる点を主に説明する。図４に示す照明装置１０では、エンドキャップ１０４が、本体１００の長手方向の軸に対して回動可能に構成されており、エンドキャップ１０４の回動によって、電源ユニット２００を本体１００に固定することができる。本体１００の端部に配置されたネジ山１０８と、電源ユニット２００の端部に配置されたネジ山２１８とによって内ネジ部が構成されて、エンドキャップ１０４の外ネジ部１０５とネジ止めされることによって、電源ユニット２００が本体１００に固定される。図４に示す照明装置１０では、本体１００と電源ユニット２００とが、ネジ山１０８、ネジ山２１８、および外ネジ部１０５による固定の他、少なくとも一か所がネジ止めされることによって、互いに固定される。
【００３７】
図５は、照明装置１０の一例を概略的に示す。図５は、丸型の照明装置１０の外観図である。本実施形態に係る丸型の照明装置１０は、Ｇ１０ｑ形式の口金を有してよい。ここでは、図１の照明装置１０と異なる点を主に説明する。
【００３８】
本体１００は、外装１０２、接続ピン１１８、基板１２０、およびネジ穴１２６を有する。外装１０２は、基板１２０の下面を取り囲む。接続ピン１１８は、丸型蛍光灯灯具のソケットを取り付け可能である。照明装置１０は、接続ピン１１８を介して、外部電源から電力の供給を受けてよい。
【００３９】
基板１２０は、上面にコネクタ１５２およびコネクタ１５４を有し、下面に不図示の発光部を有する。基板１２０の上面と下面との間には、アルミニウム板が配置されてよい。発光部は、ＣＣＦＬランプであってよい。また、発光部はＬＥＤランプであってもよい。コネクタ１５２およびコネクタ１５４は、電源ユニット２００を着脱可能である。
【００４０】
コネクタ１５２は、基板１２０の発光部と、電源ユニット２００とを電気的に接続する。コネクタ１５２は、第１のコネクタの一例であってよい。コネクタ１５４は、接続ピン１１８と、電源ユニット２００とを電気的に接続する。
【００４１】
電源ユニット２００は、外部電源から供給される電力を変換して、基板１２０の発光部に供給する。電源ユニット２００は、ネジ穴２０２、カバー２０４、コネクタ２２２、およびコネクタ２２４を有する。
【００４２】
電源ユニット２００は、ネジ穴２０２およびネジ穴１２６がネジ２０によってネジ止めされることによって、基板１２０に固定されてよい。電源ユニット２００は、少なくとも２箇所、ネジ２０によって基板１２０にネジ止めされてよい。
【００４３】
カバー２０４は、外装１０２の一部を構成する。これにより、電源ユニット２００が本体１００に取り付けられた場合に、照明装置１０全体を、丸型蛍光灯の形状と同じ形状とすることができる。なお、カバー２０４の当該形状は一例であり、カバー２０４は他の形状であってもよい。例えば、カバー２０４は、外装１０２から突出するような形状であってよく、また、外装１０２から窪むような形状であってもよい。
【００４４】
コネクタ２２２は、コネクタ１５２に着脱可能に接続される。コネクタ２２４は、コネクタ１５４に着脱可能に接続される。
【００４５】
図６は、照明装置１０の一例を概略的に示す。ここでは、図５と異なる点を主に説明する。図６に示す照明装置１０は、丸型形状の内側方向に突出する形状を有する電源ユニット２００を有する。
【００４６】
丸型の照明装置１０は、上側には灯具が位置するので上側のスペースが少ないが、内側方向にはスペースに余裕がある場合が多い。図６に示すように、電源ユニット２００が丸型形状の内側方向に突出する形状を有することによって、電源ユニット２００が複数の部材を有するスペースを適切に確保することができる。
【００４７】
図７は、照明装置１０の機能構成の一例を概略的に示す。図７の照明装置１０は、グロースタータ方式およびラピッド方式の安定器から供給される電力を適切に変換してＬＥＤランプ１３２に供給する電源ユニット２００を有する。照明装置１０が直管型の場合、ＧＸ１６ｔ−５形式、Ｇ１３形式、Ｒ１７ｄ形式、およびＲＸ１７ｄ形式の口金から、丸型の場合、Ｇ１０ｑ形式の口金から、安定器からの供給電源である交流周波数５０／６０Ｈｚ、８０Ｖから２６５ＶのＡＣ入力３００を、コネクタ１２４を介して電源ユニット２００が受給する。コネクタ１２４は、例えば、ノートパソコン用バッテリーコネクタである。
【００４８】
入力回路２３２は、安定器によっては蛍光ランプが取り付けられていない場合に供給電源を止めてしまう機種があるため、それを防止するダミー回路である。ヒューズ２３４および保護回路２３６は、短絡などの過電流およびサージ電圧から回路を保護する。ＡＣラインフィルター２３８は、供給電源でのノイズの流入および流出を防ぐ。全波整流２４０は、ブリッジ型の整流を行う。昇圧部２４２は、電圧を昇圧する。スイッチング回路２４８は、ＬＥＤランプ１３２に流れる電流に対するＰＷＭ制御を行う。平準回路２４４は、脈動成分（リップル成分）を除去する。電流検出回路２４６は、ＬＥＤランプ１３２に流れる直流電流の値を検出して適した直流電流の値に制御するとともに、保護回路２３６へ伝達をする。平準回路２４４で供給された直流電源は、コネクタ２１２およびコネクタ１２２を介してＬＥＤランプ１３２に供給される。
【００４９】
図８は、照明装置１０の機能構成の一例を概略的に示す。図８の照明装置１０は、インバータ方式（電子式）の安定器から供給される電力を適切に変換してＬＥＤランプ１３２に供給する電源ユニット２００を有する。照明装置１０が直管型の場合、ＧＸ１６ｔ−５形式、Ｇ１３形式、Ｒ１７ｄ形式、およびＲＸ１７ｄ形式の口金から、丸型の場合、Ｇ１０ｑ形式の口金から、安定器からの供給電源である交流周波数２０ＫＨｚから１００ＫＨｚ、８０Ｖから２６５ＶのＡＣ入力３００を、コネクタ１２４を介して電源ユニット２００が受給する。コネクタ１２４は、例えば、ノートパソコン用バッテリーコネクタである。インバータ式（電子式）の安定器からの供給電源の交流周波数が、２０ＫＨｚから１００ＫＨｚと非常に高いため、図７に示す電源ユニット２００と比較して、スイッチング回路２４８を不要としている。また、電流検出回路２４６は、供給電源の交流周波数により、ＡＣラインフィルター２３８内のインダクタンスを変更する機能を備える。
【００５０】
図９は、照明装置１０の機能構成の一例を概略的に示す。図９の照明装置１０は、蛍光灯灯具に、ＬＥＤランプ１３２専用の安定器が設置されている場合に使用される電源ユニット２００を有する。照明装置１０が直管型の場合、ＧＸ１６ｔ−５形式、Ｇ１３形式、Ｒ１７ｄ形式、およびＲＸ１７ｄ形式の口金から、丸型の場合、Ｇ１０ｑ形式の口金から、ＬＥＤランプ１３２専用の安定器からの供給電源であるＡＣ入力３００を、コネクタ１２４に接続されたコネクタ２１４を介して電源ユニット２００が受給する。電源ユニット２００は、受給した電力をコネクタ１２２に接続されたコネクタ２１２を介して、ＬＥＤランプ１３２に供給する。
【００５１】
図１０は、照明装置１０の機能構成の一例を概略的に示す。図１０の照明装置１０は、グロースタータ式、ラピッド式、およびインバータ式の安定器から供給される電力を適切に変換してＣＣＦＬランプ１４２に供給する電源ユニット２００を有する。照明装置１０が直管型の場合、ＧＸ１６ｔ−５形式、Ｇ１３形式、Ｒ１７ｄ形式、およびＲＸ１７ｄ形式の口金から、丸型の場合、Ｇ１０ｑ形式の口金から、安定器からの供給電源である交流周波数２０ＫＨｚから１００ＫＨｚ、８０Ｖから２６５ＶのＡＣ入力３００を、コネクタ１２４を介して電源ユニット２００が受給する。コネクタ１２４は、例えば、ノートパソコン用バッテリーコネクタである。
【００５２】
グロースタータ式およびラピッド式の安定器から供給される電力を変換してＣＣＦＬランプ１４２に供給する電源ユニット２００と、インバータ式の安定器から供給される電力を変換してＣＣＦＬランプ１４２に供給する電源ユニット２００とは、機能構成は同一であるが、インバータ式（電子式）の安定器から供給される電源が、交流周波数２０ＫＨｚから１００ＫＨｚと、グロースタータ式およびラピッド式の安定器から供給される電源に比較して非常に高いので、電源ユニット２００の部材および設定値は異なることとなる。
【００５３】
入力回路２５２は、安定器によっては蛍光ランプが取付けられていない場合に供給電源を止めてしまう機種があるため、それを防止するダミー回路である。保護回路２５４およびヒューズ２５６は、短絡などの過電流およびサージ電圧から回路を保護する。ＡＣラインフィルター２５８は、供給電源でのノイズの流入および流出を防ぐ。全波整流２６０は、はブリッジ型の整流回路である。起動電圧２６２および補助電源２６４は、インバータＩＣ駆動用の電源供給と補償回路である。インバータ２６６は、直流を交流に変換するインバータ回路である。逆流阻止回路２６８は、逆流を阻止するハイサイドドライバー回路である。半波整流２７０は、インバータ出力の半波整流回路である。過電圧保護回路２７２は、過電圧保護を行う。位相帰還回路２７４は、周波数を自動調整するための帰還回路である。半波整流２７０を経由した交流周波数４５ＫＨｚ、１００Ｖの出力電圧は、コネクタ２１２およびコネクタ１２２を経由して、昇圧トランス１４６に接続され、昇圧トランス１４６によって、交流周波数４５ＫＨｚ、１０００Ｖまで昇圧されて、ＣＣＦＬランプ１４２に供給される。
【００５４】
図１１は、照明装置１０の機能構成の一例を概略的に示す。図１１の照明装置１０は、蛍光灯灯具に、ＣＣＦＬランプ１４２専用の安定器が設置されている場合に使用される電源ユニット２００を有する。照明装置１０が直管型の場合、ＧＸ１６ｔ−５形式、Ｇ１３形式、Ｒ１７ｄ形式、およびＲＸ１７ｄ形式の口金から、丸型の場合、Ｇ１０ｑ形式の口金から、ＣＣＦＬランプ１４２専用の安定器からの供給電源であるＡＣ入力３００を、コネクタ１２４に接続されたコネクタ２１４を介して電源ユニット２００が受給する。電源ユニット２００は、受給した電力をコネクタ１２２に接続されたコネクタ２１２を介して、昇圧トランス１４６に供給する。
【００５５】
上述したように、本実施形態に係る照明装置１０によれば、照明装置１０は、電源ユニット２００を着脱可能に構成されているので、照明装置１０を取り付ける蛍光灯灯具に応じた電源ユニット２００を設置させることができ、汎用性の高い照明装置１０を提供することができる。
【００５６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５７】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００５８】
１０  照明装置、２０  ネジ、１００  本体、１０２  外装、１０４  エンドキャップ、１０５  外ネジ部、１０６  エンドキャップ、１０８  ネジ山、１１４  接続ピン、１１６  接続ピン、１１８  接続ピン、１２０  基板、１２２  コネクタ、１２４  コネクタ、１２６  ネジ穴、１２８  配線、１３２  ＬＥＤランプ、１３４  ＬＥＤチップ、１４２  ＣＣＦＬランプ、１４４  ＣＣＦＬ蛍光灯、１４６  昇圧トランス、１５２  コネクタ、１５４  コネクタ、２００  電源ユニット、２０２  ネジ穴、２０４  カバー、２１２  コネクタ、２１４  コネクタ、２１８  ネジ山、２２２  コネクタ、２２４  コネクタ、２３２  入力回路、２３４  ヒューズ、２３６  保護回路、２３８  ＡＣラインフィルター、２４０  全波整流、２４２  昇圧部、２４４  平準回路、２４６  電流検出回路、２４８  スイッチング回路、２５２  入力回路、２５４  保護回路、２５６  ヒューズ、２５８  ＡＣラインフィルター、２６０  全波整流、２６２  起動電圧、２６４  補助電源、２６６  インバータ、２６８  逆流阻止回路、２７０  半波整流、２７２  過電圧保護回路、２７４  位相帰還回路、３００  ＡＣ入力
【図１】
0006592398.tif 000002
【図２】
0006592398.tif 000003
【図３】
0006592398.tif 000004
【図４】
0006592398.tif 000005
【図５】
0006592398.tif 000006
【図６】
0006592398.tif 000007
【図７】
0006592398.tif 000008
【図８】
0006592398.tif 000009
【図９】
0006592398.tif 000010
【図１０】
0006592398.tif 000011
【図１１】
0006592398.tif 000012